(57)【要約】【課題】端子螺子の破損を防止するとともに、作業者にかかる負担軽減を図ること。【解決手段】電力量計において電源に接続される第１の端子と負荷に接続される第２の端子とに対応づけてそれぞれ設けられ、筐体に螺合されることにより、第１の端子および第２の端子に接続される電線を当該電線が第１の端子および第２の端子に接触した状態で固定する螺子部を備えた端子螺子１２１によって電線を固定する電力量計１００において、螺子部２０１とは反対側の端部にリング形状をなす頭部２０２を備えたアイボルトによって端子螺子１２１を実現するようにした。【選択図】図４
2018036153.tif 000002
【特許請求の範囲】
【請求項１】
電源と負荷との間に設けられて前記電源から前記負荷に流れた電流に基づいて電力量の積算値を計量する電力量計であって、
前記電源に接続される第１の端子と、
前記負荷に接続される第２の端子と、
前記第１の端子と前記第２の端子とを収容する筐体と、
前記第１の端子および前記第２の端子に対応づけてそれぞれ設けられ、前記筐体に螺合されることにより、前記第１の端子および前記第２の端子に接続される電線を当該電線が前記第１の端子および前記第２の端子に接触した状態で固定する螺子部を備えた端子螺子と、
を備え、
前記端子螺子は、前記螺子部とは反対側の端部にリング形状をなす頭部を備えたアイボルトであることを特徴とする電力量計。
【請求項２】
前記端子螺子の頭部は、絶縁材料によって被覆されていることを特徴とする請求項１に記載の電力量計。
【請求項３】
前記端子螺子は、前記第１の端子および前記第２の端子のそれぞれに対して２つずつ設けられ、一方の端子螺子の頭部は、当該一方の端子螺子よりも各電線の長さ方向における先端側に設けられる他方の端子螺子の頭部よりも前記筐体から突出した位置に位置づけられることを特徴とする請求項１または２に記載の電力量計。
【請求項４】
前記筐体に対して取り外し可能に取り付けられ、当該筐体に取り付けられることにより当該筐体との間に形成される空間内に前記端子螺子の頭部を収容する端子カバーを備えたことを特徴とする請求項１〜３のいずれか一つに記載の電力量計。
【発明の詳細な説明】
【技術分野】
【０００１】
この発明は、電力量計に関する。
【背景技術】
【０００２】
電力を積算し計量する電気計器である電力量計（電力メーター）は、配電線と電気需要設備との境界に設けられる。電力量計の一次側には配電線（引込線）が接続され、電力量計の二次側には電気需要設備に至る引込電線が接続される。配電線や引込電線は、螺子によって電力量計に固定される。
【０００３】
従来、配電線や引込電線を電力量計に固定する螺子を締めたり緩めたりする場合、ドライバーなどの工具を用いて回転させていた。配電線や引込電線を電力量計に固定する螺子は、金属材料を用いて形成されており、ドライバーなどの工具による操作を受け付けるため外部に露出した状態とされている。すなわち、配電線や引込電線を固定している螺子は、充電された状態で外部に露出されている。このため、電力量計に対する作業は、絶縁のための手袋を着用しておこなう。
【０００４】
関連する技術として、従来、無停電端子に接触するベース部材とバイパスプラグを係止する可動部材とを備え、ベース部材の接触面を無停電端子に当接させ、バイパスプラグを可動部材に係止させた状態で、当該可動部材をベース部材に対して移動させることにより、バイパスプラグを無停電端子から容易に引き抜くことができるようにしたプラグ取り外し工具に関する技術があった（たとえば、下記特許文献１を参照。）。
【先行技術文献】
【特許文献】
【０００５】
【特許文献１】特開２００８−１２２２９４号公報
【発明の概要】
【発明が解決しようとする課題】
【０００６】
しかしながら、上述した従来の技術は、配電線や引込電線を電力量計に固定する螺子を締めたり緩めたりする作業は、絶縁のための手袋を着用しておこなうため、ドライバーなどの工具を操作する力加減が難しく、螺子を過剰に締め込んで螺子が千切れたり螺子山が潰れたりするなどして、螺子を損傷させてしまうおそれがあるという問題があった。
【０００７】
また、螺子の損傷を回避するために螺子の締め込みが不十分であると、風雨などによる配電線や引込電線の振動に起因して螺子が緩み、配電線や引込電線が電力量計から脱落してしまったり、電力量計から脱落した配電線や引込電線によって感電してしまうなどの恐れがあるという問題があった。
【０００８】
この対策として、仮に、螺子に加えられる力を絶縁のための手袋を薄手のものにした場合、金属製のドライバーを介して作業者が感電するおそれがあるという問題があった。また、上述した特許文献１に記載された従来の技術は、無停電端子に差し込まれているプラグを抜く際に用いられるものであり、電力量計に配電線や引込電線を固定して接続したり、電力量計に接続されている配電線や引込電線を取り外したりする、いわゆる電力量計に対する通常の作業に適用することはできないという問題があった。
【０００９】
この発明は、上述した従来技術による問題点を解消するため、端子螺子の破損を防止するとともに、作業者にかかる負担軽減を図ることができる電力量計を提供することを目的とする。
【課題を解決するための手段】
【００１０】
上述した課題を解決し、目的を達成するため、この発明にかかる電力量計は、電源と負荷との間に設けられて前記電源から前記負荷に流れた電流に基づいて電力量の積算値を計量する電力量計であって、前記電源に接続される第１の端子と、前記負荷に接続される第２の端子と、前記第１の端子と前記第２の端子とを収容する筐体と、前記第１の端子および前記第２の端子に対応づけてそれぞれ設けられ、前記筐体に螺合されることにより、前記第１の端子および前記第２の端子に接続される電線を当該電線が前記第１の端子および前記第２の端子に接触した状態で固定する螺子部を備えた端子螺子と、を備え、前記端子螺子が、前記螺子部とは反対側の端部にリング形状をなす頭部を備えたアイボルトであることを特徴とする。
【００１１】
また、この発明にかかる電力量計は、上記の発明において、前記端子螺子の頭部が、絶縁材料によって被覆されていることを特徴とする。
【００１２】
また、この発明にかかる電力量計は、上記の発明において、前記端子螺子が、前記第１の端子および前記第２の端子のそれぞれに対して２つずつ設けられ、一方の端子螺子の頭部は、当該一方の端子螺子よりも各電線の長さ方向における先端側に設けられる他方の端子螺子の頭部よりも前記筐体から突出した位置に位置づけられることを特徴とする。
【００１３】
また、この発明にかかる電力量計は、上記の発明において、前記筐体に対して取り外し可能に取り付けられ、当該筐体に取り付けられることにより当該筐体との間に形成される空間内に前記端子螺子の頭部を収容する端子カバーを備えたことを特徴とする。
【発明の効果】
【００１４】
この発明にかかる電力量計によれば、端子螺子の破損を防止するとともに、端子螺子を破損させることのない作業により作業者にかかる負担軽減を図ることができるという効果を奏する。
【図面の簡単な説明】
【００１５】
【図１】この発明にかかる実施の形態の電力量計を示す説明図である。
【図２】端子螺子の構造を示す説明図である。
【図３】電力量計の一部断面を示す説明図である。
【図４】端子螺子の操作方法を示す説明図である。
【図５】端子螺子における頭部の別の形状の一例を示す説明図（その１）である。
【図６】端子螺子における頭部の別の形状の一例を示す説明図（その２）である。
【図７】端子螺子における頭部の別の形状の一例を示す説明図（その３）である。
【発明を実施するための形態】
【００１６】
以下に添付図面を参照して、この発明にかかる電力量計の好適な実施の形態を詳細に説明する。
【００１７】
（電力量計の外観）
まず、この発明にかかる実施の形態の電力量計の外観について説明する。この発明にかかる実施の形態の電力量計は、誘導型電力量計であってもよいし、電子式電力量計であってもよく、電力量の計量にかかる構成については特に限定するものではない。図１は、この発明にかかる実施の形態の電力量計の外観を示す説明図である。図１においては、この発明にかかる実施の形態の電力量計を、正面側から見た状態における外観を示している。
【００１８】
図１において、この発明にかかる実施の形態の電力量計１００は、本体部１１０と接続端子台１２０とを備えている。本体部１１０は、箱状の筐体１１１を備えている。筐体１１１の正面側には、電力量計１００の内部を確認できる窓部１１２が設けられている。筐体１１１の内側には、計量部および表示部が設けられている。
【００１９】
計量部は、電力量計１００に供給された電力量の積算値を計量する。表示部は、計量部が計量した電力量の積算値に関する情報を表示する。表示部における表示内容は、電力量計１００を正面から見た場合に、窓部１１２を介して電力量計１００の外側から視認することができる。計量部の構成は、この発明にかかる実施の形態の電力量計１００が、たとえば誘導型電力量計であるか、電子式電力量計であるかに応じて異なる。
【００２０】
この発明にかかる実施の形態の電力量計１００が、たとえば誘導型電力量計である場合、計量部は、金属材料を用いて形成された回転円盤部材と、電圧コイルと、電流コイルと、を備える。回転円盤部材は、金属材料を用いて円板形状に形成され、円板形状の中心に設けられた回動軸を回動中心として回動可能に設けられている。
【００２１】
電圧コイルは、回転円盤部材の一面側に設けられて、磁心が回転円盤部材の回動中心に一致するように配置されている。電流コイルは、回転円盤部材の他面側に設けられて、磁心が回転円盤部材の回動中心に一致するように配置されている。
【００２２】
計量部においては、電力量計１００に対して電力が供給されると、電圧コイルに加わる電圧および電流コイルに加わる電流に基づいて、電圧コイルと電流コイルとの間で回転円盤部材を貫くような磁束が発生する。この磁束は、回転円盤部材の回動中心の回りを移動し、この磁束の移動によって回転磁界を発生させる。
【００２３】
回転円盤部材は、この回転磁界を利用して得られる回転トルクによって回転する。誘導型電力量計における計量部は、回転円盤部材の回転量に基づいて、電力量計１００に供給された電力量の積算値を計量する。回転トルクは、電力に比例している。誘導型電力量計における計量部の構成については、公知の技術であるため説明を省略する。
【００２４】
また、この発明にかかる実施の形態の電力量計１００が、たとえば電子式電力量計である場合、計量部は、電力量計１００に対して供給された電力に基づいて、電圧と電流との乗算をおこない、乗算結果を積分することによって電力量計１００に供給された電力量の積算値を計量する。電子式電力量計における計量部は、入力変換部と乗算処理部と分周回路部とを備えている。
【００２５】
入力変換部は、供給された電力における電圧レベルおよび電流レベルを、第１の端子および第２の端子間に構成される電子回路の電圧レベルおよび電流レベルに変換する。乗算処理部は、入力変換部によって変換された電圧レベルおよび電流レベルに基づいた乗算処理によって、供給された電力量に比例したパルス信号を生成する。分周回路部は、乗算処理部が生成したパルス信号のクロック周波数を当該クロック周波数よりも低い所定のクロック周波数に変換する。このような計量部は、分周回路部が所定のクロック周波数に変換したパルス信号に基づく積分処理をおこなって電力量の積算値を計量する。
【００２６】
電子式電力量計における計量部は、乗算に際して、パルス幅変調をおこなう時分割乗算方式（アナログ乗算）や、ΔΣ・Ａ／Ｄ変換乗算方式（デジタル乗算）などの乗算方式を用いて電力量の積算量を計量する。時分割乗算方式（アナログ乗算）およびΔΣ・Ａ／Ｄ変換乗算方式（デジタル乗算）、電子式電力量計における計量部の構成については、公知の各種技術を用いて容易に実現可能であるため説明を省略する。
【００２７】
表示部は、表示画面を備え、当該表示画面を制御して、計量部が計量した電力量の積算値に関する情報を表示する。具体的には、表示部は、計量部が計量した電力量の積算値を示す数値を表示する。表示部は、たとえば０〜９までの数字が振られた、複数桁分のリールを用いて形成される表示画面に、数字によって示す現字形とすることができる。また、表示部は、計量された電力量の積算値を、たとえば指針によって表示する指針形であってもよい。また、表示部は、たとえば液晶ディスプレイなどを用いて表示される０〜９までの複数桁の数字によって、電力量の積算値を示すものであってもよい。
【００２８】
接続端子台１２０が備える第１の端子１Ｓ、２Ｓ、３Ｓのそれぞれには、電源側の電線を端子螺子１２１によって固定することができる。また、接続端子台１２０が備える第２の端子１Ｌ、２Ｌ、３Ｌのそれぞれには、負荷側に接続された電線を端子螺子１２１によって固定することができる。
【００２９】
端子螺子１２１は、筐体としての端子ボックス（端子台カバー）１２２に設けられた螺子孔（図３を参照）に螺合されている。螺子孔は、端子ボックス１２２の厚み方向に沿って、当該端子ボックス１２２の内側まで貫通している。
【００３０】
（端子螺子の構造）
つぎに、端子螺子１２１の構造について説明する。図２は、端子螺子１２１の構造を示す説明図である。図２において、端子螺子１２１は、略円柱形状をなす螺子部（軸部）２０１と、当該螺子部２０１の軸心方向の一端に設けられた頭部２０２と、を備えている。螺子部２０１の外周面には、螺旋状の螺子山が設けられている。螺子部２０１において、頭部２０２とは反対側の端部は、円錐形状に尖った形状であってもよく、軸心に直交する平面に沿った平坦な形状であってもよい。
【００３１】
頭部２０２は、リング形状をなしている。具体的に、頭部２０２は、螺子部２０１を構成する円柱を、リング形状に湾曲させることによって構成されている。具体的に、図２においては、螺子部２０１を構成する円柱を略円形に湾曲させた頭部２０２を示している。
【００３２】
頭部２０２と螺子部２０１とは一体に設けられていることが好ましい。頭部２０２と螺子部２０１とを一体に設けることにより、端子螺子１２１の強度を確保することができ、締めたり緩めたりする作業に際して端子螺子１２１が変形したり破損したりすることを防止できる。
【００３３】
また、頭部２０２をリング形状とすることにより、頭部２０２に作業者の指先が引っかかりやすくなって頭部２０２を掴みやすくなる。また、頭部２０２に作業者の指先が引っかかりやすくなるため、掴んだ感触を認識しやすくなる。これにより、端子螺子１２１を締めたり緩めたりする作業に際して端子螺子１２１が変形したり破損したりすることを防止できる。
【００３４】
また、頭部２０２は、絶縁材料によって被覆されている。具体的には、たとえば、ゴム、シリコン、ウレタンゴム、エポキシ樹脂など公知の各種の材料を用いて被覆することができる。頭部２０２を被覆する絶縁材料は、ゴムなどのように、摩擦抵抗が大きい材料であることが好ましい。摩擦抵抗が大きい絶縁材料を用いて頭部２０２を被覆することにより、端子螺子１２１を操作する際のグリップ性を確保し、容易かつ確実な操作を実現することができる。
【００３５】
（端子螺子１２１の長さ）
つぎに、端子螺子１２１の長さについて説明する。図３は、電力量計１００の一部断面を示す説明図である。図３においては、端子ボックス１２２を、端子螺子１２１を通る位置において切断した断面を示している。図３において、電線の先端側において螺合される端子螺子１２１と、当該端子螺子１２１よりも電線の根元側において螺合される端子螺子１２１とは、各端子螺子１２１の頭部２０２が端子ボックス１２２から突出する突出量が異なるように、長さが異なっている。
【００３６】
具体的に、各端子螺子１２１の長さは、各電線の長さ方向における先端側において螺合される端子螺子１２１よりも、電線の根元側において螺合される端子螺子１２１の突出量が多くなるように調整されている。各端子螺子１２１の長さは、電力量計１００に対して電線を脱着する際に端子螺子１２１を操作する順番に基づいて決定され、電力量計１００に対して先に螺合される端子螺子１２１すなわち電線の長さ方向における先端側において螺合される端子螺子１２１の方が、電線の根元側の端子螺子１２１よりも短い。
【００３７】
（端子螺子１２１の操作方法）
つぎに、端子螺子１２１の操作方法について説明する。図４は、端子螺子１２１の操作方法を示す説明図である。図４において、作業者は、電力量計１００に対して電線を接続したり取り外したりする作業に際して、頭部２０２を手で把持し、端子螺子１２１を手で操作する。このとき、作業者は、絶縁手袋４０１を着用して作業をおこなう。
【００３８】
電力量計１００に対して電線を接続する作業に際しては、まず、電線の先端側に螺合される端子螺子１２１を先に操作して、当該端子螺子１２１を電力量計１００に螺合させる。その後、電線の根元側に螺合される端子螺子１２１を操作して、当該端子螺子１２１を電力量計１００に螺合させる。
【００３９】
一方、電力量計１００から電線を取り外す作業に際しては、まず、電線の根元側に螺合される端子螺子１２１を操作して、当該端子螺子１２１を電力量計１００から取り外す。つぎに、電線の先端側に螺合される端子螺子１２１を操作して、当該端子螺子１２１を電力量計１００から取り外す。
【００４０】
図５〜図７は、端子螺子１２１における頭部２０２の別の形状の一例を示す説明図である。上述した実施の形態においては、螺子部２０１を構成する円柱を略円形に湾曲させることによって形成された頭部２０２を備える端子螺子１２１について説明したが、頭部２０２の形状はこれに限るものではない。端子螺子１２１の頭部２０２は、リング形状であればよく、図５〜図７に示すように、各種の形状とすることができる。
【００４１】
以上説明したように、この発明にかかる実施の形態の電力量計１００は、電源と負荷との間に設けられて電源から負荷に流れた電流に基づいて電力量の積算値を計量する電力量計であって、電源に接続される第１の端子と、負荷に接続される第２の端子と、第１の端子と第２の端子とを収容する筐体と、第１の端子および第２の端子に対応づけてそれぞれ設けられ、筐体に螺合されることにより、第１の端子および第２の端子に接続される電線を当該電線が第１の端子および第２の端子に接触した状態で固定する螺子部を備えた端子螺子１２１と、を備え、端子螺子１２１が、螺子部とは反対側の端部にリング形状をなす頭部を備えたアイボルトであることを特徴としている。
【００４２】
この発明にかかる実施の形態の電力量計１００によれば、作業者が頭部２０２を把持して端子螺子１２１を手で操作することができるので、端子螺子１２１に対して、当該端子螺子１２１が破損するほどの過剰な力をかけることなく、端子螺子１２１を回転させることができる。これにより、端子螺子１２１の破損を防止するとともに、端子螺子１２１を破損させることのない作業により作業者にかかる負担軽減を図ることができる。
【００４３】
また、この発明にかかる実施の形態の電力量計１００によれば、端子螺子１２１の破損を回避することができるので、従来のように破損した端子螺子１２１を修復する作業をおこなう必要がない。これにより、作業を確実におこなうことができ、かつ、やり直しのない確実な作業により作業にかかる時間の短縮を図ることができる。
【００４４】
また、この発明にかかる実施の形態の電力量計１００によれば、工具を使用することなく端子螺子１２１を手で操作することができるので、作業にかかる工具の準備や当該工具を持ち歩く必要性をなくし、作業効率の向上を図ることができる。
【００４５】
また、この発明にかかる実施の形態の電力量計１００によれば、端子螺子１２１の頭部２０２に孔が空いていることにより、作業者が、頭部２０２を掴みやすくなり、掴んだ感触を認識しやすい。これにより、端子螺子１２１の破損を確実に防止するとともに、端子螺子１２１を破損させることのない作業により作業者にかかる負担軽減を図ることができる。
【００４６】
また、この発明にかかる実施の形態の電力量計１００は、端子螺子１２１の頭部２０２が、絶縁材料によって被覆されていることを特徴としている。
【００４７】
この発明にかかる実施の形態の電力量計１００によれば、頭部２０２が絶縁材料によって被覆されているため、作業者が頭部２０２を把持して端子螺子１２１を手で操作する際の安全性を確保することができる。これにより、作業者は、端子螺子１２１を確実に把持して操作することができる。
【００４８】
また、この発明にかかる実施の形態の電力量計１００は、端子螺子１２１が、第１の端子および第２の端子のそれぞれに対して２つずつ設けられ、一方の端子螺子１２１の頭部は、当該一方の端子螺子１２１よりも各電線の長さ方向における先端側に設けられる他方の端子螺子１２１の頭部よりも筐体から突出した位置に位置づけられることを特徴としている。
【００４９】
この発明にかかる実施の形態の電力量計１００によれば、電線の先端側において螺合される端子螺子１２１の頭部２０２と、当該端子螺子１２１よりも電線の根元側において螺合される端子螺子１２１の頭部２０２と、の端子ボックス１２２からの突出量を異ならせることにより、頭部２０２の大きさを作業者が手で把持できる程度に大きくした場合にも、端子螺子１２１どうしが干渉することがない。これにより、作業を確実におこなうことができ、作業時間の短縮を図ることができる。
【００５０】
ここで、電力量計１００においては、電線を脱着する際に、端子螺子１２１を操作する順番が決まっており、各電線の長さ方向における先端側において螺合される端子螺子１２１よりも、電線の根元側において螺合される端子螺子１２１の突出量を多くすることにより、電力量計１００に対する既存の作業ルールにしたがった上で、作業効率の向上を図ることができる。
【００５１】
また、この発明にかかる実施の形態の電力量計１００は、端子ボックス１２２に対して取り外し可能に取り付けられ、当該端子ボックス１２２に取り付けられることにより当該端子ボックス１２２との間に形成される空間内に端子螺子１２１の頭部２０２を収容する端子カバーを備えたことを特徴としている。
【００５２】
この発明にかかる実施の形態の電力量計１００によれば、端子螺子１２１の頭部２０２を収容する端子カバーを設けることにより、従来と比較して端子螺子１２１の頭部２０２を大きくした場合にも、頭部２０２が周囲のものに引っかかったり、これにより端子螺子１２１が破損したりすることを防止できる。これにより、作業者は、作業を確実におこなうことができ、かつ、やり直しのない確実な作業により作業にかかる時間の短縮を図ることができる。
【産業上の利用可能性】
【００５３】
以上のように、この発明にかかる電力量計は、接続された電線を流れる電力量を積算する電線電力量計に有用であり、特に、電線を螺子によって固定する電力量計に適している。
【符号の説明】
【００５４】
１００  電力量計
１２１  端子螺子
１２２  端子ボックス
２０１  螺子部
２０２  頭部
【図１】
2018036153.tif 000003
【図２】
2018036153.tif 000004
【図３】
2018036153.tif 000005
【図４】
2018036153.tif 000006
【図５】
2018036153.tif 000007
【図６】
2018036153.tif 000008
【図７】
2018036153.tif 000009